(57)【要約】ネジ部品による取り付けに代えて、ディスク駆動装置側に形成した取り付け構造、及びシステム本体側に形成した被取り付け構造により取り付け機構を構成し、これによりディスク駆動装置をシステム本体に取り付け、固定する。ディスク駆動装置の取り付け構造は、システム本体側と嵌合する嵌合部材を備え、この嵌合部材によりシステム本体側と嵌合することにより、ネジ部材を用いることなくシステム本体に取り付けて固定する。これにより、取り付けの作業性、取り付け性を向上させ、取り付けコストを低減する。
2005013279.tif 000002
【特許請求の範囲】
【請求項１】
ディスクに対して記録又は再生を行うためのヘッドと、
ディスクを回転駆動するためのディスク駆動モータと、
前記ヘッドと前記ディスク駆動モータとを収納している筐体と、
システム本体側に取り付けるための取り付け構造とを有するディスク駆動装置において、
前記取り付け構造は、システム本体側と嵌合し、前記システム本体側に対する前記ディスク駆動装置の取り付け位置を規定する為の嵌合部材を備えることを特徴とするディスク駆動装置。
【請求項２】
前記嵌合部材は、前記筐体から突出する突出部であることを特徴とする、請求項１に記載のディスク駆動装置。
【請求項３】
前記突出部は、システム本体側の嵌合部に対してスライド移動するガイドを構成することを特徴とする、請求項１に記載のディスク駆動装置。
【請求項４】
前記嵌合部は、長溝部であることを特徴とする請求項３に記載のディスク駆動装置。
【請求項５】
前記突出部は、前記筐体と一体形成されていることを特徴とする請求項２又は請求項３に記載のディスク駆動装置。
【請求項６】
前記筐体は板金材料で形成されており、前記突出部はバーリング加工により形成されていることを特徴とする請求項５に記載のディスク駆動装置
【請求項７】
前記突出部は、突出方向の端部に開口を有する中空の円筒形状に形成されていることを特徴とする請求項２乃至請求項６の何れかに記載のディスク駆動装置。
【請求項８】
前記突出部の前記円筒形状の中空部の内周面にネジ部が形成されていることを特徴とする請求項７に記載のディスク駆動装置。
【請求項９】
前記取り付け構造において、前記円筒形状の外周面を前記システム本体側に設けられた被取り付け構造と嵌合する嵌合面とすることを特徴とする請求項７又は８に記載のディスク駆動装置。
【請求項１０】
前記取り付け構造において、前記突出部の中空部を前記システム本体側に設けられた被取り付け構造にネジ止めするためのネジ穴とすることを特徴とする請求項７又は８に記載のディスク駆動装置。
【請求項１１】
前記嵌合部材は、前記筐体に設けた長溝部であることを特徴とする請求項１に記載のディスク駆動装置。
【請求項１２】
前記長溝部の内側面を、前記システム本体側に設けられた被取り付け構造が備える突出部と嵌合する嵌合面とすることを特徴とする請求項１１に記載のディスク駆動装置。
【請求項１３】
前記被取り付け構造は、前記システム本体側の突出部を係止するレバー部材を備えることを特徴とする請求項１２に記載のディスク駆動装置。
【請求項１４】
前記嵌合部材は、前記筐体の側部及び／又は底部に設けることを特徴とする請求項１乃至請求項１３の何れかに記載のディスク駆動装置。
【請求項１５】
前記筐体は、前記ヘッド及び前記ディスク駆動モータを支持しているフレームと、
このフレームに係合して、フレームを上下方向に覆う上カバー及び下カバーとを有し、
前記突出部は、前記筐体の下カバーに形成されていることを特徴とする請求項２乃至請求項１０の何れかに記載のディスク駆動装置。
【請求項１６】
ディスクに対して記録又は再生を行うためのヘッドと、
システム本体側に取り付けるための取り付け構造とを有するディスク駆動装置において、
前記筐体は板金材料で形成され、
前記取り付け構造は、前記システム本体側と嵌合し、前記システム本体側に対する前記ディスク駆動装置の取り付け位置を規定する前記筐体から突出する突出部を備え、
この突出部は、バーリング加工により形成されると共に、突出方向の端部に開口を有する中空の円筒形状に形成されており、
前記取り付け構造において、前記円筒形状の外周面を前記システム本体側に設けられた被取り付け構造と嵌合する嵌合面とすることを特徴とするディスク駆動装置。
【請求項１７】
ディスクに対して記録又は再生を行うためのヘッドと、ディスクを回転駆動するためのディスク駆動モータと、前記ヘッドと前記ディスク駆動モータとを収納している筐体と、システム本体側に取り付けるための取り付け構造とを有するディスク駆動装置をシステム本体に取り付ける取り付け機構であって、
前記ディスク駆動装置は前記筐体から突出する突出部を備え、
前記システム本体は前記突出部を嵌合するための嵌合部と、前記突出部を係止するためのレバー部材とを備えることを特徴とするディスク駆動装置の取り付け機構。
【請求項１８】
前記嵌合部は、長溝部であることを特徴とする請求項１７に記載のディスク駆動装置の取り付け機構。
【請求項１９】
前記突出部は前記長溝部に対してスライド移動により嵌合することを特徴とする請求項１８に記載のディスク駆動装置の取り付け機構。
【発明の詳細な説明】
【技術分野】
【０００１】  本発明は、ディスク駆動装置のシステム本体への取り付けに関する。本発明は、システム本体に取り付けるための構成を備えたディスク駆動装置に関し、また、ディスク駆動装置とシステム本体との間において協動し、ディスク駆動装置をシステム本体に取り付ける取り付け機構に関する。
【背景技術】
【０００２】  フレキシブルディスク装置等のディスク駆動装置は、例えばパーソナルコンピュータ等のシステム本体に対して外付けあるいは内蔵されている。内蔵型のフレキシブルディスク装置は、製造元において製造時にシステム本体に固定したり、あるいは、使用者においてシステム本体が備える空きベイに固定したりすることで取り付けられる。また、修理や交換等の際に、システム本体からディスク駆動装置を取り外したり、システム本体にディスク駆動装置を取り付けることもある。【０００３】  このディスク駆動装置のシステム本体への取り付け構造は、固定手段としてネジを用いるものが一般的である。このような取り付け構造として、例えば、特許文献１，２に記載されたものがある。【０００４】  特許文献１に示される取り付け構造では、フレキシブルディスク装置のシールドカバーに取り付け部を設け、この取り付け部をシステム本体側の基板に設けた被取り付け板にネジ止めしている。【０００５】  また、特許文献２に示される取り付け構造では、フレキシブルディスク装置のシールドカバーの側方に取付片を設け、この取付片を介してシステム本体にネジ止めしている。
【特許文献１】実開平０６−７７０９７号
【特許文献２】実開平０４−３１４９４号
【発明の開示】
【発明が解決しようとする課題】
【０００６】  上記したような、ディスク駆動装置のシステム本体への取り付けをネジ部品を用いて行う構造では、ネジ止めに起因する以下のような問題を有している。【０００７】  ディスク駆動装置をネジ部品により取り付ける構造では、ディスク駆動装置の取り付けあるいは取り外しの度にネジ部品を締め付けたりあるいは緩めるといった作業が必要である。通常、一つのディスク駆動装置に対して少なくとも３個のネジ部品が取り付けられる。そのため、取り付け環境が狭いシステム本体内において、ネジ止めを行う取り付け作業を行うことは、作業者にとって負担であり、また、作業時間もかかるという問題がある。【０００８】  また、一般的に、ネジ部品の取り付けには不完全さが伴う場合がある。ネジ部品の取り付けの不完全さは、ディスク駆動装置のシステム本体への固定の不完全さの要因となり、不完全な固定はディスク駆動装置がシステム本体から外れる要因となる。【０００９】  また、ネジ止めにより筐体部分に応力が加わる場合には、筐体がこの応力によって変形あるいはひずむおそれがある。筐体部分はヘッドの基準位置を定めている。そのため、筐体部分の変形やひずみはヘッドの位置ずれの要因となりかねない。【００１０】  また、ネジ部品による取り付ける構造は、ディスク駆動装置の取り付けのための部品としてネジ部品が必要である。このネジ部品はコスト高の要因ともなる。【００１１】  そこで、本発明は従来の問題を解決し、ディスク駆動装置のシステム本体への取り付け固定において、ネジ止めによる取り付けを廃して、取り付けの作業性を向上させ、ディスク駆動装置のシステム本体への取り付け性を向上させることを目的とする。また、本発明は、取り付けコストを低減することを目的とする。
【課題を解決するための手段】
【００１２】  本発明は、ネジ部品による取り付けに代えて、ディスク駆動装置側に形成した取り付け構造、及びシステム本体側に形成した被取り付け構造により、ディスク駆動装置のシステム本体への取り付けを行うものである。本発明は、この取り付け構造とすることにより、取り付けの作業性、取り付け性を向上させる。また、本発明は、ネジ部品を不要とすることにより取り付けコストを低減する。【００１３】  本発明のディスク駆動装置は、ＦＤ（フレキシブルディスク：フロッピー（登録商標）ディスク）装置、ＭＯ（光磁気ディスク）ディスク装置、ＣＤ（コンパクトディスク）−ＲＯＭディスク装置、ＤＶＤ（デジタルビデオディスク）ディスク装置等に適用することができる。【００１４】  本発明は、ディスク駆動装置による態様、あるいは、ディスク駆動装置とシステム本体側との両構成要素からなる取り付け機構による態様とすることができる。【００１５】  本発明の第１の態様は、ディスク駆動装置の態様である。ディスク駆動装置は、ディスクに対するデータの記録や、ディスクに記憶されたデータの再生を行うためのヘッドと、ディスクを回転駆動するためのディスク駆動モータと、ヘッドとディスク駆動モータとを収納する筐体と、ディスク駆動装置をシステム本体側に取り付けるための取り付け構造とを有する。【００１６】  本発明のディスク駆動装置の取り付け構造は、システム本体側と嵌合する嵌合部材を備える。ディスク駆動装置は、この嵌合部材によりシステム本体側と嵌合することにより、ネジ部材を用いることなくシステム本体に取り付け固定される。【００１７】  嵌合部材の第１の形態は、筐体から突出する突出部である。ディスク駆動装置は、この突出部を嵌合部材として用いてシステム本体側と嵌合し、システム本体に取り付け固定する。突出部は、システム本体側が備える長溝部に対してスライド移動するガイドを構成する。突出部を長溝部に対して嵌合させながらスライドさせ、所定の位置に移動して取り付けを行う。【００１８】  筐体はそれ自体に突出部を備える構成である。そのため、別途用意しておいた突出部を筐体に取り付ける作業は不要である。これにより、作業性が向上し、コストを削減することができる。【００１９】  ディスク駆動装置のシステム本体への固定は、突出部と長溝部との嵌合により行われるため、固定のためのネジ部材は不要である。なお、長溝部側にレバー部材を設け、このレバー部材により長溝部内に嵌合された突出部を係止して、ディスク駆動装置がシステム本体から離脱しないよう保持するような構成とすることもできる。【００２０】  また、突出部はディスク駆動装置の筐体と一体で形成することができる。一体形成とすることにより、突出部のための部品を不要とし、また、部品の取り付け作業を不要とすることができる。【００２１】  突出部をディスク駆動装置の筐体と一体に形成する構成において、筐体は板金材料で形成し、突出部はこの板金材料をバーリング加工することで形成することができる。バーリング加工は、板金材料に開口部を形成し、その開口部を突出させることにより突出部を形成する加工方法である。筐体を形成する板金材料の一部にバーリング加工により突出部を形成することで、筐体と突���部とを一体形成することができる。突出部をバーリング加工で形成することにより、加工作業が容易となる他、高い加工精度が得られるため、高い位置精度を得ることができる。【００２２】  なお、突出部を筐体と一体形成する加工方法はバーリング加工に限らず、曲げ（プレス）加工、絞り加工等の加工方法を適用することもできる。また、筐体の一部を樹脂で形成し、突出部を樹脂製筐体と共に一体形成することもできる。【００２３】  バーリング加工で形成される突出部は、突出方向の端部に開口を有する中空状の円筒形状とすることができる。この突出部の中空部分の内周面にネジ部を形成してもよい。【００２４】  取り付け機構の嵌合の一形態は、取り付け構造の嵌合部材を円筒形状の突出部とし、この円筒形状の外周面をシステム本体側に設けられた被取り付け構造と嵌合する嵌合面とする。【００２５】  また、取り付け機構の嵌合の付加的な形態として、突出部の中空部分を、システム本体側に設けられた被取り付け構造にネジ止めするためのネジ穴とする構成としてもよい。この構成によれば、被取り付け構造及び中空状のネジ穴にネジを通して締め付けることで嵌合を確実にすることができる。このネジ締めは、突出部による嵌合をより確実にする付加的なものであって、ディスク駆動装置のシステム本体への取り付けに必須なものではなく、不要とすることもあるいは選択的に採用することもできる。選択的に採用することで、ネジ締めに作業性を軽減することができる。【００２６】  また、突出部の中空部分によるネジ締めは、突出部の嵌合による取り付けをより強固にするための構成である。この構成は、筐体部分に応力がかからないため、筐体に変形やひずみを生じさせることはない。【００２７】  したがって、この付加的なネジ締めの構成は、ディスク駆動装置のシステム本体への取り付け固定においてネジ止めによる取り付けを廃するという本発明の目的となんら矛盾するものではない。【００２８】  嵌合部材の第２の形態は、筐体に設けた長溝部である。ディスク駆動装置は、この長溝部を嵌合部材として用いてシステム本体側と嵌合し、システム本体に取り付けて固定する。また、長溝部は、システム本体側が備える突出部に対してスライド移動するガイドを構成する。長溝部を突出部に対して嵌合させながらスライドさせ、所定の位置に移動して取り付けを行う。【００２９】  長溝部の縁部分の内側面は、システム本体側に設けられた被取り付け構造が備える突出部との間で嵌合する嵌合面として用いる。また、ディスク駆動装置の取り付け構造は、長溝部と共に、システム本体側の突出部を係止するレバー部材を備える構成としてもよい。レバー部材は、長溝部と嵌合する突出部を係止して、ディスク駆動装置がシステム本体から離脱しないよう保持する。【００３０】  本発明の第１の態様の嵌合部材の第１，２の形態において、嵌合部材は、筐体の側部の他、底部に設ける構成としてもよい。【００３１】  筐体は、フレームとカバーを有する構成とすることができる。フレームは、ヘッド及びディスク駆動モータを支持する。また、カバーは上カバー及び下カバーを備え、フレームと係合してフレームを上下方向で覆う。この構成では、突出部を筐体の下カバーに形成する��とができる。また、筐体は上記フレーム及びカバーと一体に形成することができる。この構成によれば、突出部を筐体のフレーム自体に形成することができる。【００３２】  突出部を下カバーに形成する構成は、突出部の加工を容易とする。また、下カバーは交換が容易であるため、突出部の交換を容易に行うことができる。【００３３】  本発明の第２の態様は取り付け機構の態様であり、ディスク駆動装置とシステム本体側との両構成要素からなる。ディスク駆動装置の取り付け機構は、ディスク駆動装置をシステム本体に取り付けるための取り付け機構である。【００３４】  ディスク駆動装置は、ディスクに対するデータの記録や、ディスクに記憶されたデータの再生を行うためのヘッドと、ディスクを回転駆動するためのディスク駆動モータと、ヘッドとディスク駆動モータとを収納する筐体と、ディスク駆動装置をシステム本体側に取り付けるための取り付け構造とを有する。【００３５】  ディスク駆動装置は、取り付け構造として、筐体から突出する突出部を備える。他方、システム本体はこの突出部を嵌合するための長溝部と、嵌合した突出部を係止するためのレバー部材とを備える。【００３６】  取り付け機構は、ディスク駆動装置側の突出部とシステム本体側の長溝部とを構成要素とし、これら両要素が協動して嵌合することにより、ディスク駆動装置をシステム本体に取り付ける。この際、突出部は長溝部に対してスライド移動により嵌合する。
【発明の効果】
【００３７】  以上の説明から明らかなように、本発明によれば、ディスク駆動装置のシステム本体への取り付け固定において、取り付けの作業性を向上させることができる。また、ディスク駆動装置のシステム本体への取り付け性を向上させることができる。取り付けコストを低減することができる。
【図面の簡単な説明】
【００３８】［図１］本発明によるディスク駆動装置の全体を分解して示す概略斜視図である。
［図２］本発明によるディスク駆動装置の全体を示す概略斜視図である。
［図３］本発明によるディスク駆動装置の下カバーの概略図である。
［図４］本発明の突出部の断面形状例を示す図である。
［図５］本発明のディスク駆動装置の取り付け機構の斜視図である。
［図６］本発明のディスク駆動装置の取り付け機構の斜視図である。
［図７］本発明のレバー部材の動作を説明するための図である。
［図８］本発明のディスク駆動装置の取り付け機構の動作を説明するための図である。
［図９］本発明によるディスク駆動装置の他の形態例を示す概略斜視図である。
［図１０］本発明のディスク駆動装置の他の形態例の動作を説明するための図である。
［図１１］本発明の突起部の他の構成例を説明するための図である。
［図１２］本発明のディスク駆動装置のシステム本体からの離脱を防ぐ他の構成例を説明するための図である。
［図１３］本発明のディスク駆動装置の他の実施の形態を説明するための図である。
［図１４］本発明のディスク駆動装置の他の実施の形態においてシステム本体からの離脱を防ぐ構成例を説明するための図である。
［図１５］本発明のディスク駆動装置の他の実施の形態においてシステム本体からの離脱を防ぐ構成例を説明するための図である。
［図１６］本発明のディスク駆動装置の他の実施の形態においてシステム本体からの離脱を防ぐ構成例を説明するための図である。
［図１７］本発明のガイド部を用いたディスク駆動装置とシステム本体との嵌合を説明するための図である。
［図１８］本発明のガイド部を嵌合部としたときの係合部の構成例を説明するための図である。
［図１９］本発明のガイド部を嵌合部としたときの係合部の別の構成例を説明するための図である。
［図２０］本発明のガイド部を嵌合部としたときの係合部の他の構成例を説明するための図である。
【符号の説明】
【００３９】１  ディスク駆動装置
２  筐体
３，３ａ，３ｂ  側壁部
４  カバー
４ａ  上カバー
４ｂ  下カバー
５  フロントパネル
６  ヘッド部
６ａ  アーム
６ｂ  キャリッジ
６ｃ  上ヘッド
６ｄ  下ヘッド
７  ディスク駆動モータ
８  制御回路基板
９  キャリア
１０  取り付け構造
１１，１１ａ〜１１ｆ  突出部
１２  中空部
１３  ネジ部
１４  長溝部
１５  レバー部材
１６  開口部
１７  突出部材
１８  突出部
１９  係合部
２０  システム側取り付け構造
２１，２１ａ，２１ｂ  システム側支持部材
２２，２２ａ，２２ｂ  長溝部
２３  レバー部材
２３ａ  当接面
２３ｂ  係合部
２３ｃ  回転軸部
２４  突出部
２５Ａ〜２５Ｄ  システム側支持部材
２６Ａ〜２６Ｄ  長溝部
２７Ｂ〜２７Ｄ  レバー部材
３０  ネジ
３１  ガイド部
３２  係合部
３２ａ，３２ｂ  当接面
３２ｃ  支持部
３３  係合部
３３ａ，３３ｂ  当接面
３３ｃ  回転支持部
３４  係合部
３４ａ，３４ｂ  当接面
【発明を実施するための最良の形態】
【００４０】  以下、図面を用いて本発明を実施するための最良な形態におけるディスク駆動装置、及びディスク駆動装置の取り付け機構を説明する。【００４１】  以下、本発明のディスク駆動装置及びディスク駆動装置の取り付け機構について図を用いて詳細に説明する。【００４２】  以下に示す実施の形態では、ディスク駆動装置をシステム本体に取り付けるための取り付け機構として、突出部と長溝部との組合せについて説明する。この突出部と長溝部は、それぞれを互いにディスク駆動装置あるいはシステム本体の一方に設け、これらを嵌合することによりディスク駆動装置をシステム本体に取り付けて固定する。突出部と長溝部をディスク駆動装置あるいはシステム本体のいずれに設けるかは任意とすることができる。【００４３】  以下では、ディスク駆動装置に突出部を設け、システム本体に長溝部を設ける形態例について図１〜図８を用いて説明し、ディスク駆動装置に長溝部を設け、システム本体に突出部を設ける形態例について図９，図１０を用いて説明する。なお、ここでは、ディスク駆動装置としてフレキシブルディスク（フロッピー（登録商標）ディスク）駆動装置を例にして示している。【００４４】  はじめに、本発明の第１の形態例について説明する。第１の形態例は、ディスク駆動装置に突出部を設け、システム本体に長溝部を設ける構成である。【００４５】  図１は本発明によるディスク駆動装置の全体を分解して示す概略斜視図であり、図２は本発明によるディスク駆動装置の全体を示す概略斜視図であり、図３は本発明によるディスク駆動装置の下カバーの概略図である。【００４６】  図１において、ディスク駆動装置１は、筐体２、フロントパネル５、キャリア９を備える。キャリア９はスライド板（図示していない）の内側に組み付ける。スライド板は、筐体２に対して着脱可能であって前後方向にわずかに移動可能に取り付ける。さらに、筐体２には、フロントパネル５と上カバー４ａを取り付けて組み立てる。【００４７】  スライド板に組み付けたキャリア９は、筐体２に対して上下動可能に係合され、スライド板が前後移動することで上下動する。【００４８】  筐体２は、側壁３ａ，３ｂを備える矩形の容器形状であり、前面部分（図中の左方手前部分）にフロントパネル５を装着している。フロントパネル５から差し込まれたフレキシブルディスク（図示しなていない）はキャリア９の内部に納められる。なお、筐体２のフレーム２ａは、上下を上カバー４ａ及び下カバー４ｂを含むカバー４により覆う構成とすることができ、カバー４は筐体２の一部として構成することができる。【００４９】  筐体２の内部には、ヘッド部６、フレキシブルディスクを駆動するディスク駆動モータ７、制御回路基板８が取り付けられる。ヘッド部６は、アーム６ａ及びキャリッジ６ｂを含む。アーム６ａは、その端部をキャリッジ６ｂに回動自在に軸支し、バネによりキャリッジ６ｂとの間隔を閉じるように付勢している。キャリッジ６ｂの端部に下ヘッド６ｄを設け、キャリッジ６ｂと対向するアーム６ａの端部に上ヘッド６ｃを固定している。【００５０】  キャリッジ６ｂは、筐体２に配置したガイドロッド（図示していない）に案内されると共に、キャリッジ６ｂから張り��した一部が、ステッピングモータで回転駆動されるスクリューシャフト６ｅに係合している。したがって、アーム６ａ及びキャリッジ６ｂは、ステッピングモータにより移動される。【００５１】  ディスク駆動装置１は、システム本体に取り付けるために取り付け構造１０を備える。下カバー４ｂの各側壁部分には、ディスク駆動装置１の前後方向に少なくとも２個の突出部１１が形成され、全体で少なくとも４個の突出部が形成される。突出部１１は、ディスク駆動装置１側の取り付け構造１０を構成している。一方、システム本体側は、ディスク駆動装置１側の取り付け構造１０に対する被取り付け構造２０（図１に示していない）を備える。これらの取り付け構造１０及び被取り付け構造２０の組み合わせによりディスク駆動装置のシステム本体側への取り付けが行われる。【００５２】  図１では、ディスク駆動装置１の下カバー４ｂの右側の側壁３ａに３個の突出部１１ａ，１１ｂ，１１ｃが設けられている。図１では示していないが、下カバー４ｂの左側の側壁３ｂにも同様に突出部が設けられる。なお、ディスク駆動装置をシステム本体等の被取り付け構造（図示していない）に対して安定して取り付けるには、ディスク駆動装置１の前後方向に少なくとも２個の突出部１１を設ける。【００５３】  図２に示す斜視図は、図１に示すキャリア９を筐体２内に組み込んだ後に、上カバー４ａを取り付けた状態を示している。また、図３（ａ），（ｂ），（ｃ）は、それぞれ本発明によるディスク駆動装置の下カバーの平面図，側面図、及び斜視図を示している。【００５４】  突出部１１は、下カバー４ｂの側壁部分から外側に突出して形成され、嵌合部材を構成する。突出部１１は円筒状の外形形状を有する。この円筒状の外形部分は嵌合面として作用し、システム本体側の嵌合部材（例えば、長溝部）と嵌合する。【００５５】  また、突出部１１は、システム本体側が備える嵌合部材（例えば、長溝部）と協動することにより、ディスク駆動装置１をシステム本体側に対してスライド移動するガイド機能を持つ。突出部１１は、ディスク駆動装置１をシステム本体内に導入するためのガイドとして働く。【００５６】  なお、突出部１１は、図示するように下カバー４ｂに設ける構成の他、下カバー４ｂを備えない場合には、筐体２のフレーム２ａの側壁部分に設ける構成とすることもできる。また、突出部１１は、上カバー４ａに設ける構成としてもよい。【００５７】  突出部１１は、下カバー４ｂあるいはフレーム２ａを構成する板金部材をバーリング加工することにより、下カバー４ｂあるいはフレーム２ａと一体で形成することができる。【００５８】  図４は、突出部の断面形状例を示しており、バーリング加工による一構成例である。円筒状の突出部１１は、バーリング加工により形成される。バーリング加工は、板金部材４に開口部を形成する工程と、この開口部を押し広げながら突出させる工程を含む。このバーリング加工は、これらの工程によって、突出部１１の円筒状部分の内部に中空部１２を形成する。【００５９】  図４において、システム側の被取り付け構造２０は、システム側支持部材２１、及びこのシステム側支持部材２１に形成された長溝部２２により構成される。ディスク駆��装置１が備える突出部１１は長溝部２２内と嵌合する。この嵌合は、ディスク駆動装置１のシステム側への取り付けを行う。この嵌合において、突出部１１の外周面と長溝部２２の縁部分の内周面とはそれぞれ嵌合面となる。この嵌合面が互いに嵌合することにより取り付けが行われる。図４（ｂ）は、嵌合状態を示している。【００６０】  なお、バーリング加工により形成される円筒部分の突出長さＡは、例えば、２．９ｍｍ〜３ｍｍとし、バーリングの径Ｂは３．６ｍｍとする。この寸法値例は、強度や加工性の点から筐体の板厚は０．６ｍｍが最適であること、及び、製造工程を効率化するために、突出部を備える筐体の製造と突出部を備えない筐体の製造とにおける製造工程の共有化すること等の各要件に基づいて定められる。【００６１】  突出部を備える突出部タイプの筐体では長い突出長さが求められる。この突出長さを長くするには、筐体に開ける径の大きさは小さいことが求められる。一方、突出部を備えないネジ止めタイプの筐体では、ネジ止めするために筐体に開ける径の大きさは大きいことが求められる。【００６２】  このように、筐体に開ける径は相反する大きさが求められる。この相反する要求を満たす一方法として、径の大きさが異なる２つのタイプの筐体を製造する方法がある。このような径の大きさが異なる２つのタイプの筐体を製造するためには、それぞれ異なる製造工程を設ける必要がある。径の大きさによって製造工程を複数設けることは、筐体の製造の効率化の点で問題がある。【００６３】  筐体の製造の効率化の点では、製造工程を共用することが望ましい。そこで、小径の突出部タイプの筐体と大径のネジ止めタイプの筐体とは、バーリング加工を行う前の製造工程において同一の筐体を使用することにより製造工程を共用する。【００６４】  ２つのタイプの筐体の製造において製造工程を共用するという要求を満足するには、上記の寸法値例は最適な値である。【００６５】  なお、この突出長さＡ、及びバーリングの径Ｂは、下カバー４の板金材料の厚み寸法や、システム側の支持部材２１の厚み寸法、ディスク駆動装置１の側壁３とシステム側の支持部材２１との間のクリアランス寸法等の取り付け寸法等に応じて設定してもよい。【００６６】  また、突出部をバーリング加工により形成した場合には、突出部１１の円筒状部分に中空部１２が形成される。この中空部１２の内周面にネジ部１３を形成してもよく、このネジ部１３を用いてディスク駆動装置１を取り付けてもよい。図４（ｂ），（ｃ）は、中空部１２の内周面に形成したネジ部１３を用いたディスク駆動装置１の取り付け状態を示している。突出部１１を長溝部２２内に嵌合させた状態において、システム側支持部材２１の外側から中空部１２のネジ部１３内にネジ３０をねじ込み、これによってディスク駆動装置１のシステム側への固定を確実なものとすることができる。【００６７】  このネジ締めは、突出部による嵌合をより確実にする付加的なものであって、ディスク駆動装置のシステム本体への取り付けを行うものではなく、必要に応じて行う選択的なものである。ネジ締めは、複数の突出部の内から選択した箇所で行うことができる。ネジ締めを選択的に採用とすることで、ネジ締めに作業���を軽減することができる。【００６８】  また、突出部の中空部分によるネジ締めは、突出部の嵌合による取り付けより強固にするための構成である。ネジ締めによる応力は主に突出部にかかり、応力が筐体に影響して筐体が変形したりひずみが生じることはない。【００６９】  次に、ディスク駆動装置をシステム本体側に取り付ける動作、及び、ディスク駆動装置がシステム本体側から離脱しないための構成について、図５〜図８を用いて説明する。図５，６はディスク駆動装置の取り付け機構の斜視図であり、図７はレバー部材の動作を説明するための図であり、図８はディスク駆動装置の取り付け機構の動作を説明するための図である。【００７０】  図５〜図８において、システム本体側は被取り付け構造２０を備える。被取り付け構造２０は、システム側支持部材２１（２１ａ，２１ｂ）と、システム側支持部材２１（２１ａ，２１ｂ）に設けられた長溝部２２（２２ａ，２２ｂ）と、レバー部材２３とを備える。なお、レバー部材２３は、システム側支持部材２１ａ，２１ｂのいずれか一方あるいは両方に設けることができる。図５〜図８では、システム側支持部材２１ａに設けたレバー部材２３を示している。【００７１】  ディスク駆動装置１をシステム本体側に取り付けるには、ディスク駆動装置１のフロントパネル５と反対側の端部をシステム本体側から導入し（図８（ａ））、ディスク駆動装置１の突出部１１を長溝部２２に沿って所定位置までスライド移動させ（図８（ｂ））、突出部１１の外周面と長溝部２２の内周面とを嵌合させる（図８（ｃ），（ｄ））。なお、図５はスライド移動中の状態を示し、図６はディスク駆動装置１を所定位置までスライド移動させた状態を示している。【００７２】  レバー部材２３は、システム側支持部材２１において、ディスク駆動装置１が所定位置まで移動して取り付け位置に達した際、突出部１１と係合する位置に設けられる。レバー部材２３は、図７に示すように、突出部１１と当接する当接面２３ａと係止面２３ｂを備え、軸部２３ｃにより回動自在に軸支される。軸部２３ｃにはレバー部材２３を一方向に付勢するバネ材（図示していない）が取り付けられ、ストッパー（図示してない）により定められる位置に保持されている。このレバー部材２３の保持位置は、長溝部２２内をスライド移動した突出部１１が当接面２３ａと当接する位置に設定される。【００７３】  突出部１１が当接面２３ａと当接すると（図８（ｂ））、図７（ｂ）に示すように、レバー部材２３は突出部１１に押されて、バネ材による付勢と抗しながら当接面２３ａの傾斜面に沿って軸回動する。突出部１１が長溝部２２内をさらにスライド移動すると（図８（ｃ））、突出部１１は当接面２３ａの後端に達する。この後端を越えると、レバー部材２３は、図７（ｃ）に示すようにバネ材によって元の保持位置に戻され、レバー部材２３の係止部分２３ｂは突出部１１と係合する（図８（ｄ））。この係合により、レバー部材２３は突出部１１を所定位置に保持し、ディスク駆動装置１がシステム本体側から離脱することを防ぐ。【００７４】  一方、ディスク駆動装置１をシステム本体側から取り出す場合には、レバー部材２３をバネ材に抗して回動させて、レバー部材２３��係止部分２３ｂと突出部１１との係合を外し、ディスク駆動装置１を長溝部２２に沿って外部に向けてスライド移動させる（図８（ｅ））。【００７５】  次に、図９，図１０を用いて、第２の形態例について説明する。第２の形態例は、ディスク駆動装置に長溝部を設け、システム本体に突出部を設ける構成である。【００７６】  図９において、ディスク駆動装置１は、取り付け構造１０として下カバー４ｂの側壁部分あるいは筐体本体の側壁部分に形成された長溝部１４を備える。一方、システム本体側は、被取り付け構造２０として突出部２４を備える。長溝部１４と突出部２４とは協動して取り付け機構を構成し、ディスク駆動装置１をシステム本体に取り付ける。この長溝部と取り付け構造との関係は、突起部と長溝部との取り付け位置の関係が逆である他は、前記した第１の形態例と同様である。【００７７】  図１０において、ディスク駆動装置１をシステム本体内に導入し、ディスク駆動装置１側に設けた長溝部１４内に、システム本体側の支持部材２１に設けた突起部２４を嵌合させてスライド移動させる（図１０（ａ），（ｂ））。【００７８】  長溝部１４の端部にはレバー部材１５が設けられる。このレバー部材１５は、ディスク駆動装置１をスライド移動させることにより突起部２４と当接する（図１０（ｃ））。当接によりレバー部材１５は回動し、突起部２４と係合する（図１０（ｄ））。レバー部材１５と突起部２４との係合により、ディスク駆動装置１はシステム側支持部材２１に固定され、システム側からの離脱が防止される。【００７９】  ディスク駆動装置１をシステム本体側から取り外すには、レバー部材１５を図１０（ｅ）中の矢印方向に回動させることによりレバー部材１５と突起部２４との係合を外し、ディスク駆動装置１をシステム本体側から取り出す。【００８０】  上記したディスク駆動装置１のシステム本体に対する取り付け及び取り外しにおいて、長溝部１４及び突起部２４の組み合わせは、ディスク駆動装置１をシステム本体に固定する嵌合部材として用いられる他に、スライド移動のためのガイドとして用いられる。【００８１】  本発明の突起部の他の構成例について図１１を用いて説明する。突起部は、前記した形態のように、筐体を形成する板金材料をバーリング加工等により形成する他、樹脂により形成することもできる。図１１は樹脂製の突出部材の一例であり、突出部１８を有する突出部材１７を筐体の側壁部３に形成した開口部１６内に通すことにより構成される。【００８２】  突出部材１７の突出部１８は、システム側支持部材２１に形成した長溝部２２内に嵌合し、これにより、ディスク駆動装置をシステム本体側に取り付けることができる（図１１（ｂ），（ｃ））。なお、図１１では、各開口部１６に対して突出部材１７を別個に用意しているが、一つの突出部材１７上に複数の突出部１８を備えた構成とすることもできる。【００８３】  また、筐体の一部を樹脂で形成し、突出部をこの樹脂製の筐体と共に一体で形成することもできる。【００８４】  本発明のディスク駆動装置のシステム本体からの離脱を防ぐ他の構成例について図１２を用いて説明する。この構成例では、長溝部２２の一部を係合部１９として備える。図１２（ａ）に示すように、突出部１１を長溝部２２に沿ってスライド移動させる。図１２（ｂ）に示すように、係合部１９の突出部分を乗り越えさせることにより突出部１１を係合部１９に係合させ、突出部１１が逆方向に移動しないように保持する。これにより、ディスク駆動装置のシステム本体からの離脱を防ぐことができる。【００８５】  上記した実施の形態は、ディスク駆動装置をシステム本体に対して左右方向（横方向）に移動させることにより取り付けを行う構成について示しているが、本発明は、図１３に示すように、ディスク駆動装置をシステム本体に対して上下方向（縦方向）に移動させることにより取り付けを行う構成に適用してもよい。【００８６】  図１３は、システム側支持部材とディスク駆動装置を側面から見た図を示している。システム側支持部材２５Ａには、上端側が開放された上下方向（縦方向）の長溝部２６Ａが形成されている。ディスク駆動装置１（図１３中では破線で示している）は、図１３（ａ）に示すようにその突出部１１を長溝部２６Ａ内に挿入させ、図１３（ｂ）に示すように突出部１１を長溝部２６Ａの底部に嵌合させることにより取り付けが行われる。【００８７】  このディスク駆動装置をシステム本体に対して上下方向（縦方向）に移動させて取り付ける構成においても、ディスク駆動装置のシステム本体からの離脱を防ぐ機構を設けることができる。以下、この離脱防止機構の例について図１４〜図１６を用いて説明する。【００８８】  図１４に示す第１の例では、システム側支持部材２５Ｂに形成された上下方向（縦方向）の長溝部２６Ｂに対して、レバー部材２７Ｂが横方向に移動可能に取り付けられ、その一部が長溝部２６Ｂ内に突出する方向に付勢されている。図１４（ａ）はディスク駆動装置１とシステム側支持部材２５Ｂとの関係を示し、図１４（ｂ）〜図１４（ｅ）は離脱防止の動作を示している。【００８９】  ディスク駆動装置１をシステム側に取り付ける際、突出部１１を長溝部２６Ｂ内に挿入する。挿入された突出部１１の先端部分は、長溝部２６Ｂ内に突出しているレバー部材２７Ｂの斜面部分と当接する（図１４（ｂ））。突出部１１は、当接したレバー部材２７Ｂを付勢力に抗して横方向に押しながら、長溝部２６Ｂ内を下方に移動する（図１４（ｃ））。突出部１１が長溝部２６Ｂ内の所定位置まで移動すると、レバー部材２７Ｂは突出部１１との当接がはずれて、付勢力によって元の位置に戻る。このとき、突出部１１は長溝部２６Ｂ内で嵌合されると共に、レバー部材２７Ｂによって長溝部２６Ｂ内から離脱しないように保持される（図１４（ｄ））。【００９０】  ディスク駆動装置１をシステム側から取り外す場合には、例えば手動によりレバー部材２７Ｂを付勢力に抗して移動させ、突出部１１が長溝部２６Ｂ内を移動できるように開放し、突出部１１を長溝部２６Ｂから外す。【００９１】  図１５に示す第２の例では、システム側支持部材２５Ｃに形成された斜め上下方向（斜め縦方向）の長溝部２６Ｃに対して、レバー部材２７Ｃが上下方向（縦方向）に移動可能に取り付けられ、その一部が長溝部２７Ｃ内に突出する方向に付勢されている。図１５（ａ）はディスク駆動装置１とシステム側支持部材２５Ｃとの関係を示し、図１５���ｂ）〜図１５（ｅ）は離脱防止の動作を示している。【００９２】  ディスク駆動装置１をシステム側に取り付ける際、突出部１１を長溝部２６Ｃ内に挿入する。挿入された突出部１１の先端部分は、長溝部２６Ｃ内に突出しているレバー部材２７Ｃの斜面部分と当接する（図１５（ｂ））。突出部１１は、当接したレバー部材２７Ｃを付勢力に抗して下方に押しながら、長溝部２６Ｃ内を下方に移動する（図１５（ｃ））。突出部１１が長溝部２６Ｃ内の所定位置まで移動すると、レバー部材２７Ｃは突出部１１との当接がはずれて、付勢力によって元の位置に戻る。このとき、突出部１１は長溝部２６Ｃ内で嵌合されると共に、レバー部材２７Ｃによって長溝部２６Ｃ内から離脱しないように保持される（図１５（ｄ））。【００９３】  ディスク駆動装置１をシステム側から取り外す場合には、例えば手動によりレバー部材２７Ｃを付勢力に抗して移動させ、突出部１１が長溝部２６Ｃ内を移動できるように開放し、突出部１１を長溝部２６Ｃから外す。【００９４】  図１６に示す第３の例では、システム側支持部材２５Ｄに形成されたＬ字状の溝奥部が湾曲した長溝部２６Ｄに対して、レバー部材２７Ｄが回動可能に取り付けられ、その一部が長溝部２７Ｄ内に突出する方向に付勢されている。図１６（ａ）はディスク駆動装置１とシステム側支持部材２５Ｄとの関係を示し、図１６（ｂ）〜図１６（ｅ）は離脱防止の動作を示している。【００９５】  ディスク駆動装置１をシステム側に取り付ける際、突出部１１を長溝部２６Ｄ内に挿入する。挿入された突出部１１の先端部分は、長溝部２６Ｄ内に突出しているレバー部材２７Ｄと当接する（図１６（ｂ））。突出部１１は、当接したレバー部材２７Ｄを付勢力に抗して回動させながら、長溝部２６Ｄ内を下方に移動する（図１６（ｃ））。突出部１１が長溝部２６Ｄ内の所定位置まで移動すると、レバー部材２７Ｄは突出部１１との当接がはずれて、付勢力によって元の位置に戻る。このとき、突出部１１は長溝部２６Ｄ内で嵌合されると共に、レバー部材２７Ｄによって長溝部２６Ｄ内の湾曲部分に押し込まれ離脱しないように保持される（図１６（ｄ））。【００９６】  ディスク駆動装置１をシステム側から取り外す場合には、例えば手動によりレバー部材２７Ｄを付勢力に抗して回動させ、突出部１１が長溝部２６Ｄ内を移動できるように開放し、突出部１１を長溝部２６Ｄから外す。【００９７】  前記では嵌合部として長溝部を用いて例を示しているが、嵌合部は前記した長溝部による構成の他にガイド部を用いる構成とすることができる。【００９８】  以下、嵌合部としてガイド部を用いる構成例について、図１７〜図２０を用いて説明する。【００９９】  図１７は、ガイド部を用いたディスク駆動装置とシステム本体との嵌合を説明するための図である。図１７において、ディスク駆動装置１のシステム側への取り付けは、筐体２の設けた突出部１１をガイド部３１のガイド面でスライド自在に支持させ、ガイド部３１に設けた係合部により突出部１１を係合することにより行う。【０１００】  図１７（ａ）に示す例では、ガイド部３１は断面がＬ字状に湾曲した形状により支持面を形成している。水平な支持面は、ディスク駆動装置１の突出部���１を長さ方向にスライド自在とすることによって、ディスク駆動装置１を支持する。また、垂直な支持面は、ディスク駆動装置１の突出部１１の横方向（スライド方向に対して直交する方向）へのずれを防いでスライド方向への移動を案内すると共に、係合部３２によってディスク駆動装置１をシステム本体に固定する。【０１０１】  なお、係合部３２はディスク駆動装置１が備える突出部１１の内で少なくとも一つに対応するように設ければよい。【０１０２】  以下に示す図１８〜２０を用いてガイド部を嵌合部としたときの係合部の一構成例を説明する。【０１０３】  図１８に示す係合部３２はカム構成であり、一端は支持部３２ｃによって揺動自在に支持され、他端には二つの当接面３２ａ，３２ｂが設けられる。支持部３２ｃはガイド部３１の垂直方向の支持面にバネ部材等によって支持され、当接面３２ａ，３２ｂは当該支持面からディスク駆動装置１の突出部１１がスライドする移動線上に突出して設けられる。ここで、支持部３２ｃは、当接面３２ａ，３２ｂが突出部１１の移動線上に位置となるように付勢している。この付勢する力は、突出部１１が当接面３２ａと当接した際は、カムが支持面側に揺動可能な程度とし、ディスク駆動装置１の挿入動作が妨げられない程度とする。【０１０４】  図１８（ａ）〜図１８（ｄ）は突出部１１が係合部３２と係合するまでの状態を示し、図１８（ｅ），図１８（ｆ）は突出部１１が係合部３２から離脱する状態を示している。【０１０５】  ディスク駆動装置１の突出部１１を、ガイド部３１の水平な支持面上において、垂直な支持面でガイドさせてスライドさせると（図１８（ａ））、突出部１１は突出部１１の移動線上に突出している当接面３２ａと当接する。突出部１１が当接面３２ａと当接すると、係合部３２はディスク駆動装置１を挿入する力によって押される。この押力が支持部３２ｃの付勢力よりも大きい場合には、係合部３２を揺動する（図１８（ｂ））。【０１０６】  係合部３２が揺動することにより、突出部１１は当接面３２ａにより進路を邪魔されることなくスライド可能となる（図１８（ｃ））。突出部１１がさらにスライドし、突出部１１の他方の端部が当接面３２ｂの位置まで移動すると、支持部３２ｃの付勢力によって係合部３２は元の位置に戻り、突出部１１の他方の端部と当接面３２ｂとが係合し、ディスク駆動装置１が外れることを防ぐ（図１８（ｄ））。【０１０７】  ディスク駆動装置１をシステム側から取り外す場合には、例えば手動により係合部３２の付勢力に抗して揺動させ、突出部１１を当接面３２ｂから外した後（図１８（ｅ））、ディスク駆動装置１をガイド部３１に沿ってスライドさせる（図１８（ｆ））。【０１０８】  図１９に示す係合部３３はカム構成の別の例であり、一端は回転支持部３３ｃによって一方向に付勢されると共に回動自在に支持され、他端には二つの当接面３３ａ，３３ｂが設けられる。【０１０９】  前記図１８の支持部はカムを揺動支持する構成であり、当接面をディスク駆動装置１の突出部１１が進入する側に設ける構成であるのに対して、図１９に示す例は、支持部はカムを回転支持する構成であり、当接面をディスク駆動装置１の突出部１１が進入する側と反対側に設け���構成である点で相違しているが、動作はほぼ同様である。【０１１０】  また、図２０に示す係合部３４は、ガイド部３１の支持面に変位自在な突出部を形成して成る構成例である。この突出部は、ガイド部３１の支持面の一部を内側に突出させることで形成することができる。支持面の一部を支持要素とすることで、一端はガイド部３１自体が備える弾性によって一方向に付勢され回動自在に支持され、他端には二つの当接面３４ａ，３４ｂが設けられる。【０１１１】  当接面３４ａ，３４ｂは、支持面からディスク駆動装置１の突出部１１がスライドする移動線上に突出して設けられる。ガイド部３１の支持面を形成する際に当接面３４ａ，３４ｂを突出させて形成することにより、当接面３４ａ，３４ｂは変位した際に突出部１１の移動線上に位置となるように付勢される。この付勢する力は、突出部１１が当接面３４ａと当接した際に、支持面側に変位する程度とし、ディスク駆動装置１の挿入動作が妨げられない程度とする。この付勢力は、当接面３４ａ，３４ｂを形成する片持ち部分の長さや厚さにより設定することができる。【０１１２】  なお、当接面３４ａ，３４ｂを形成する部分は、ガイド部３１の垂直な支持面とすることも、あるいは水平な支持面とすることもできる。【０１１３】  図２０（ａ）〜図２０（ｄ）は突出部１１が係合部３４と係合するまでの状態を示し、図２０（ｅ），図２０（ｆ）は突出部１１が係合部３４から離脱する状態を示している。【０１１４】  ディスク駆動装置１の突出部１１を、ガイド部３１の水平な支持面上において、垂直な支持面でガイドさせてスライドさせると（図２０（ａ））、突出部１１は突出部１１の移動線上に突出している当接面３４ａと当接する。突出部１１が当接面３４ａと当接すると、係合部３４はディスク駆動装置１を挿入する力によって押される。この押す力がガイド部３１の弾性による付勢力よりも大きい場合には、係合部３４を変位させる（図２０（ｂ））。【０１１５】  係合部３４が変位することにより、突出部１１は当接面３４ａにより進路を邪魔されることなくスライド可能となる（図２０（ｃ））。突出部１１がさらにスライドし、突出部１１の他方の端部が当接面３４ｂの位置まで移動すると、支持部３４ｃの付勢力によって係合部３４は元の位置に戻り、突出部１１の他方の端部と当接面３４ｂとが係合し、ディスク駆動装置１が外れることを防ぐ（図２０（ｄ））。【０１１６】  ディスク駆動装置１をシステム側から取り外す場合には、例えば、ディスク駆動装置１を手動により係合部３４の付勢力に抗して引く。付勢力よりも大きい力でディスク駆動装置１を引くことにより、突出部１１を当接面３４ｂから外し（図２０（ｅ））、ディスク駆動装置１をガイド部３１に沿ってスライドさせる（図２０（ｆ））。【０１１７】  図２０の構成例によれば、ガイド部３１に支持面を形成する際に、係合部を一体で形成することができるため、部品点数を少なくすることができるほか、組み立ても容易となる。【０１１８】  本発明の実施の形態によれば、ネジ止めにより取り付けが不要であるため、取り付けの作業性を向上させることができ、また、ネジ止めによる筐体部分の変形やひずみを防ぐことができるため、ヘッドの���置ずれを防ぐことができる。
【産業上の利用可能性】
【０１１９】  本発明のディスク駆動装置、及びディスク駆動装置の取り付け機構は、ＦＤ（フレキシブルディスク：フロッピー（登録商標）ディスク）装置、ＭＯ（光磁気ディスク）ディスク装置、ＣＤ（コンパクトディスク）−ＲＯＭディスク装置、ＤＶＤ（デジタルビデオディスク）ディスク装置等に適用することができる。
【図１】
2005013279.tif 000003
【図２】
2005013279.tif 000004
【図３】
2005013279.tif 000005
【図４】
2005013279.tif 000006
【図５】
2005013279.tif 000007
【図６】
2005013279.tif 000008
【図７】
2005013279.tif 000009
【図８】
2005013279.tif 000010
【図９】
2005013279.tif 000011
【図１０】
2005013279.tif 000012
【図１１】
2005013279.tif 000013
【図１２】
2005013279.tif 000014
【図１３】
2005013279.tif 000015
【図１４】
2005013279.tif 000016
【図１５】
2005013279.tif 000017
【図１６】
2005013279.tif 000018
【図１７】
2005013279.tif 000019
【図１８】
2005013279.tif 000020
【図１９】
2005013279.tif 000021
【図２０】
2005013279.tif 000022
【国際調査報告】
2005013279.tif 000023
2005013279.tif 000024
2005013279.tif 000025
2005013279.tif 000026